(57)【要約】【課題】装置正面以外の個所で、原稿読み取りの操作、操作部の操作、排紙された印刷物を容易に取り出すことができるようにする。【解決手段】画像形成装置１１本体正面側に設けられ、入力操作を行う操作部７からの操作入力により、本体下部に設けられた給紙トレイ１２から記録紙を給紙し、給紙された記録紙に画像を形成した後、本体の一方の側部に設けられた排紙トレイ１３から排紙する画像形成装置１１において、前記操作部７を前記本体の前記排紙トレイ配設側の正面端部で揺動可能に支軸７Ａによって支持し、本体の正面側から操作部７を操作する場合には、操作部７を本体正面側に回動させた位置を第１の操作位置に、排紙トレイ１３配設側から操作部７を操作する場合には、前記操作部７を本体正面側から排紙トレイ１３配設側に回動させた位置を第２の操作位置Ｐにそれぞれ設定した。【選択図】図２
2009222895.tif 000002
【特許請求の範囲】
【請求項１】
画像形成手段を備えた本体正面側に設けられ、入力操作を行う操作部からの操作入力により、前記本体下部に設けられた給紙トレイから記録紙を給紙し、給紙された記録紙に画像を形成した後、前記本体の一方の側部に設けられた排紙トレイから排紙する画像形成装置において、
前記操作部を前記本体の前記排紙トレイ配設側の正面端部で揺動可能に支持する支持手段を備え、
前記本体の正面側から前記操作部を操作する場合には、前記操作部を前記本体正面側に回動させた位置を第１の操作位置に、前記排紙トレイ配設側から前記操作部を操作する場合には、前記操作部を本体正面側から前記排紙トレイ配設側に回動させた位置を第２の操作位置に設定したことを特徴とする画像形成装置。
【請求項２】
請求項１記載の画像形成装置において、
前記本体上部に設けられ、画像を光学的に読み取る読み取り部と、
前記読み取り部を前記本体の前記排紙トレイ配設側の正面端部で揺動自在に支持する支持手段と、
を備え、
前記本体の正面側から前記読み取り部で読み取り操作を行う場合には、前記読み取り部を前記本体正面側に回動させた位置を第１の操作位置に、前記排紙トレイ配設側から前記操作部を操作する場合には、前記操作部を本体正面側から前記排紙トレイ配設側に回動させた位置を第２の操作位置に設定したことを特徴とする画像形成装置。
【請求項３】
請求項１記載の画像形成装置において、
前記第２の操作位置での使用を認証する前記本体の前記排紙トレイ配設側に設けられた認証手段と、
前記認証手段によって前記第２の操作位置での使用が認証されたとき、前記操作部を前記第２の操作位置に移動させる第１の駆動手段と、
を備えていることを特徴とする画像形成装置。
【請求項４】
請求項２記載の画像形成装置において、
前記第２の読み取り操作位置での使用を認証する前記本体の前記排紙トレイ配設側に設けられた認証手段と、
前記認証手段によって前記第２の読み取り操作位置での使用が認証されたとき、前記操作部を前記第２の読み取り操作位置に移動させる第２の駆動手段と、
を備えていることを特徴とする画像形成装置。
【請求項５】
請求項１又は２記載の画像形成装置において、
前記操作部からの操作入力により第２の操作位置へ移動させることを特徴とする画像形成装置。
【請求項６】
請求項１ないし５のいずれか１項に記載の画像形成装置において、
前記排紙トレイ配設側が前記本体正面から見て左側であることを特徴とする画像形成装置。
【発明の詳細な説明】
【技術分野】
【０００１】
給紙トレイから転写紙を給紙し、その転写紙に画像を転写し、画像が転写されたその転写紙を排紙トレイに排出する複写機、プリンタ、ファクシミリ、あるいは、これらの少なくとも２つの機能を備えたデジタル複合機などの画像形成装置に係り、特に、操作部の位置を変更することができる画像形成装置に関する。
【背景技術】
【０００２】
従来の一般的な装置では、転写紙を給紙トレイに補給しようとするときに、給紙トレイを装置の前方に大きく引き出す必要があり、杖、松葉杖、車椅子等を利用する足が不自由な状態にあるユーザ(これ以降、足が不自由なユーザと記載する)が装置正面にいるままの状態では、容易に引き出すことができない。また、排紙トレイが画像形成装置の左側に設置されている場合、排紙された印刷物を取ろうとするときに、排紙トレイが設置されている所まで移動する必要があり、足が不自由なユーザが装置正面にいるままの状態では、容易に印刷物を取ることができない。
【０００３】
そこで、特許文献１には、操作部から入力される情報に基づいて、記録媒体上に可視像を形成する画像形成装置であって、前記画像形成装置の側部には、後方端が軸支され、前方端が上方に移動する支持部材が設置されており、前記操作部は、前記支持部材によって支持され、該支持部材の軸線方向に沿って移動可能となっていることを特徴とする発明が記載されている。この発明では、更に、前記画像形成装置の後部には、該画像形成装置の後面に沿って水平方向に軸線を有する軸部材が設置されており、前記支持部材は、後方端が前記軸部材によって軸支され、前方端を上方に移動させた状態で、該軸部材に沿って移動可能となっていることも記載されている。
【０００４】
また、特許文献２には、記録シート上に可視像を形成する画像形成部と、複数枚の記録シートを収容し、前記画像形成部に記録シートを順次供給するシート収容部と、を有し、前記シート収容部には、記録シートを積層して収容するシートトレイが、装置本体に対して水平方向に引き出すことが可能に設けられ、該シートトレイは、ほぼ直角となる２方向のいずれにも引き出しが可能となっていることを特徴とする発明が記載されている。この場合、更に、前記シートトレイは、装置本体に対して一方向に引き出しが可能なトレイ引き出し枠内に設置され、該シートトレイは、前記トレイ引き出し枠に対し、該引き出し枠が装置本体に対して引き出される方向とほぼ直角方向に引き出し可能となっていることも記載されている。
【０００５】
更に、特許文献３には、用紙に画像形成を行う画像形成手段と、利用者が装置の動作指示を行う第１の操作手段と、装置外部に露出した状態で設置された手差し給紙部と、装置内部に配置された用紙を収納するための用紙収納手段と、前記手差し給紙部から前記用紙収納手段へ用紙補給を行う用紙補給手段と、装置利用者の情報を記録した記録媒体との通信を行う情報通信手段と、前記手差し給紙部を手差し給紙として使用する画像形成モードでの動作か、前記用紙補給手段としての動作である用紙補給動作モードでの動作かを切り替える給紙／補給切替手段と、前記情報通信手段で受信した情報に基づいて、前記給紙／補給切替手段を制御する判断手段とを有することを特徴とする発明が記載されている。
【特許文献１】特開２００４−１９８４７５号公報
【特許文献２】特開２００５−８３４２号公報
【特許文献３】特開２００５−０６７７６７号公報
【発明の開示】
【発明が解決しようとする課題】
【０００６】
特許文献１記載の発明では、操作部を可動アームに取り付けることで、操作部の移動を可能とし、装置前面で車椅子を利用するユーザが着座した状態で操作できる。しかし、排紙された印刷物をユーザが取る際には、装置を操作する位置から移動する必要があり、また、ユーザが転写紙を補給する場合においても、装置を操作する位置から移動しなければならず、足が不自由なユーザにとって、使い勝手が悪い。
【０００７】
特許文献２記載の発明では、給紙トレイを装置に格納した状態で、装置側面に給紙トレイとは別のトレイを引き出すことが可能になっていて、そのトレイに転写紙を補給することができる。しかし、転写紙を補給するためには、ユーザが装置を操作している装置正面から移動する必要があり、やはり足が不自由なユーザにとって、使い勝手が悪い。
【０００８】
そこで、本発明が解決すべき課題は、装置正面以外の個所で、原稿読み取りの操作、操作部の操作、排紙された印刷物を容易に取り出すことができるようにする。
【課題を解決するための手段】
【０００９】
前記課題を解決するため、第１の手段は、画像形成手段を備えた本体正面側に設けられ、入力操作を行う操作部からの操作入力により、前記本体下部に設けられた給紙トレイから記録紙を給紙し、給紙された記録紙に画像を形成した後、前記本体の一方の側部に設けられた排紙トレイから排紙する画像形成装置において、前記操作部を前記本体の前記排紙トレイ配設側の正面端部で揺動可能に支持する支持手段を備え、前記本体の正面側から前記操作部を操作する場合には、前記操作部を前記本体正面側に回動させた位置を第１の操作位置に、前記排紙トレイ配設側から前記操作部を操作する場合には、前記操作部を本体正面側から前記排紙トレイ配設側に回動させた位置を第２の操作位置に設定したことを特徴とする。
【００１０】
第２の手段は、第１の手段において、前記本体上部に設けられ、画像を光学的に読み取る読み取り部と、前記読み取り部を前記本体の前記排紙トレイ配設側の正面端部で揺動自在に支持する支持手段とを備え、前記本体の正面側から前記読み取り部で読み取り操作を行う場合には、前記読み取り部を前記本体正面側に回動させた位置を第１の操作位置に、前記排紙トレイ配設側から前記操作部を操作する場合には、前記操作部を本体正面側から前記排紙トレイ配設側に回動させた位置を第２の操作位置に設定したことを特徴とする。
【００１１】
第３の手段は、第１の手段において、前記第２の操作位置での使用を認証する前記本体の前記排紙トレイ配設側に設けられた認証手段と、前記認証手段によって前記第２の操作位置での使用が認証されたとき、前記操作部を前記第２の操作位置に移動させる第１の駆動手段とを備えていることを特徴とする。
【００１２】
第４の手段は、第２の手段において、前記第２の読み取り操作位置での使用を認証する前記本体の前記排紙トレイ配設側に設けられた認証手段と、前記認証手段によって前記第２の読み取り操作位置での使用が認証されたとき、前記操作部を前記第２の読み取り操作位置に移動させる第２の駆動手段とを備えていることを特徴とする。
【００１３】
第５の手段は、第１又は第２の手段において、前記操作部からの操作入力により第２の操作位置へ移動させることを特徴とする。
【００１４】
第６の手段は、第１ないし第５のいずれかの手段において、前記排紙トレイ配設側が前記本体正面から見て左側であることを特徴とする。
【００１５】
なお、後述の実施形態では、画像形成手段を備えた本体は画像形成装置１１本体に、操作部は符号７に、給紙トレイは符号１２に、支持手段は支軸７Ａ、２２Ａ、２２Ｂに、第１の操作位置は正面位置に、第２の操作位置は足が不自由なユーザの利用位置Ｐに、認証手段は認証装置２０に、第１の駆動手段は操作部駆動モータ１７に、第２の駆動手段はスキャナ駆動モータ１９に、それぞれ対応する。
【発明の効果】
【００１６】
本発明によれば、装置正面以外の個所で、原稿読み取りの操作、操作部の操作、排紙された印刷物を容易に取り出すことができる。
【発明を実施するための最良の形態】
【００１７】
以下、本発明の実施形態について図面を参照して説明する。
【００１８】
図１は本発明の実施形態に係る画像形成装置の概略構成を示す図、図２ないし図４は操作部及びスキャナの装置の正面位置からの移動及びスキャナの設置角度調整に関する説明図、図５は給紙トレイの引き出し及び収納に関する説明図、図６は本実施形態に係る画像形成装置の全体的な構成を示す機能ブロック図、図７はペーパーエンド発生時の給紙トレイ自動引き出しの制御手順を示すフローチャート、図８及び図９は操作部のボタン操作による給紙トレイの引き出し及び収納の制御手順を示すフローチャートである。なお、本実施形態では、足が不自由なユーザの利用位置を装置左側面（排紙トレイ側）とした場合の例を示す。
【００１９】
図１において本実施形態に係る画像形成装置は給紙トレイ（給紙台）１２の上に画像形成装置本体１１が載置され、更に、その上にスキャナ２２が設けられている。画像形成装置本体１１の上部には操作部７が設けられ、正面から見て左側に排紙トレイ１３と認証装置２０がそれぞれ設置されている。このように概略構成された画像形成装置では、操作部７からの設定内容に従い、給紙トレイ１２から転写紙が給紙され、給紙トレイ７から画像形成装置本体１１内の作像部に記録紙を搬送する紙搬送装置によって記録紙を搬送し、作像部の転写装置により、記録紙に画像を転写し、最終的に排紙トレイ１３に排紙するようになっている。
【００２０】
本発明の実施形態に係る画像形成装置は、図６に示すようにＣＰＵ１を中心に、ＲＡＭ２、ＲＯＭ３、給紙トレイ駆動モータ４、給紙トレイ開閉検知センサ５、操作部角度検知センサ６、操作部駆動モータ１７、スキャナ角度検知センサ１８、スキャナ駆動モータ１９、操作部７、転写装置８、給紙トレイ引き出し位置検知センサ１０、スキャナ２２、認証装置２０、スキャナ設置角度検知センサ２３、及びスキャナ設置角度調整モータ２４がバスＢに接続されている。
【００２１】
ＣＰＵ１は画像形成装置全体の制御を司る。その際ＲＯＭ３に格納されたプログラムコードをＲＡＭ２に展開し、ＲＡＭ２をワークエリアとして使用して前記プログラムコードによって定義されたプログラムを実行し、前記制御を行う。操作部７はユーザの操作によって画像形成装置のための指示入力を行い、また、画像形成装置側から種々の情報が表示され、マン−マシンインターフェースとして機能する。転写装置８は図示しない作像部の一部として機能し、例えば光書き込みによって感光体表面に形成された潜像をトナー現像し、紙搬送装置９によって給紙トレイ１２から給紙された記録紙に現像されたトナー画像を転写するもので、後段の図示しない定着装置によって記録紙にトナー画像が定着され、排紙トレイ１３から排紙される。
【００２２】
給紙トレイ駆動モータ４は給紙トレイの引き出しと収納時の駆動力を提供する。給紙トレイ引き出し終了位置検知センサ１０は、給紙トレイ１２が前記モータ４によって引き出されたときの引き出し終了位置を検知する。給紙トレイ開閉検知センサ５は給紙トレイの開閉を検知し、操作部角度検知センサ６は操作部駆動モータ１７によって駆動される操作部の角度を検知し、スキャナ角度検知センサ１８はスキャナ駆動モータ１９によって駆動されるスキャナの角度を検知する。また、スキャナ設置角度検知センサ２３はスキャナ設置角度調整モータ２４によって駆動されるスキャナの設置角度を検知する。スキャナ２２は原稿光走査して光学的に読み取るものである。認証装置２０は画像形成装置を使用するユーザを認証するためのもので、ユーザの当該画像形成装置を使用する権限及びそのユーザの使用態様、ここでは足の不自由なユーザであり、操作部７及びスキャナ２２の回転角度や調整角度データが記憶され、この記憶されたデータに基づいて画像形成装置のＣＰＵ１は操作部７の位置を設定する。
【００２３】
大略このように構成された画像形成装置では、認証装置２０にユーザの認証媒体（カードなど）をセットすると操作部駆動モータ１７が駆動され、本体正面左側の角部において支軸７Ａで支持された操作部７を装置の左側（図２（ｂ）時計方向）へ移動させる。認証装置２０から認証媒体を外すと正面側（図２（ｂ）反時計方向）へ移動する。移動量は、操作部角度検知センサ６（例えば、ロータリーエンコーダ）で検知し、装置の左側／正面の位置を区別できるようになっている。操作部７に表示されるスキャナ移動用のボタンでスキャナ駆動モータ１９を駆動してスキャナ２２を、支軸２２Ａを回動中心として装置の左側／正面へ移動させることもできる。移動量は、スキャナ角度検知センサ１８（例えば、ロータリーエンコーダ）で検知し、装置の左側／正面の位置を区別できるようになっている。
【００２４】
また、操作部７に表示されるスキャナ設置角度調整ボタンで、スキャナ設置角度調整モータ２４を駆動させ、スキャナ２２を、支軸２２Ｂを回動中心として装置左側におけるユーザに対する設置角度（ユーザに対し、スキャナ２２が起きあがる角度の調整）を調整することができる。設置角度は、スキャナ設置角度検知センサ２３（例えば、ロータリーエンコーダ）で検知し、元の水平ポジションからどれだけスキャナが起きあがっているかを検知できるようになっている。操作部７はＬＣＤ表示部を有しており、そのＬＣＤ表示部に、スキャナの移動ボタン及び設置角度調整ボタン、給紙トレイ１２の引き出し及び収納ボタンを表示する。給紙トレイ１２の引き出しボタンを押下すると、給紙トレイ駆動モータ４が動作し、引き出し対象となった給紙段の給紙トレイ１２が引き出される。また、給紙トレイ１２の収納ボタンを押下すると、給紙トレイ駆動モータ４により引き出された給紙トレイ１２が収納される。給紙トレイ１２が収納された位置にあるときは、給紙トレイ開閉検知センサ５はＯＮ、給紙トレイ引き出し終了位置検知センサ１０はＯＦＦとなっている。給紙トレイ１２が完全に引き出された位置では、給紙トレイ開閉検知センサ５はＯＦＦ、給紙トレイ引き出し終了位置検知センサ１０はＯＮとなっている。給紙トレイ駆動モータ４が駆動され、給紙トレイ１２が収納された位置から引き出されている最中、もしくは、給紙トレイ１２が完全に引き出された位置から収納している最中、給紙トレイ開閉検知センサ５はＯＦＦ、給紙トレイ引き出し終了位置検知センサ１０はＯＦＦとなっている。
【００２５】
なお、ここではモータ駆動となっているが、操作部７あるいはスキャナ２２を駆動する際には図示しない減速機構が設けられている。また、支軸７Ａ、２２Ａ、２２Ｂは支持対象物を回動可能に支持でき、モータ駆動を可能にする構造であればよい。
【００２６】
図２は操作部の移動状態を、図３及び図４はスキャナの設置角度の調整状態をそれぞれ示す説明図である。について説明する。更に詳しくは、図２（ａ）は操作部７を装置左側面(排紙トレイ側)の向きに移動した状態での装置正面から見た図、図２(ｂ)は同じ状態を装置上面から見た図である。図３(ａ)はスキャナ２２を装置左側面(排紙トレイ側)の向きに移動した状態での装置正面から見た図、図３(ｂ)は同じ状態を装置上面から見た図である。図４はスキャナ２２を装置左側面(排紙トレイ側)の向きに移動し、更にスキャナ２２の設置角度調整をした状態での装置正面から見た図である。
【００２７】
図２から分かるように、本実施形態に係る画像形成装置では、図１の状態から操作部７は正面視左側の端部を支点として、また、図３に示すようにスキャナ２２も前記左側の端部を支点として右側が装置左側面側に回動するようになっている。すなわち、足が不自由なユーザの利用位置（第２の操作位置）Ｐを装置左側面(排紙トレイ１３側)とし、操作部７及びスキャナ２２は装置正面から見て左側(排紙トレイ側)に支軸７Ａ，２２Ａを有し、その支軸７Ａ，２２Ａに沿って操作部７及びスキャナ２２は回転移動が可能になっている。
【００２８】
更に図２（ａ）に示すように、操作部７は高さ方向Ｈの調整、及び、操作部７の上側に軸を有し、その軸に沿って操作部７の角度Ａの調整が可能となっている。加えて図４に示すように、スキャナ２２は、ユーザ利用位置から見て、手前側に軸を有し、奥側が起きあがる方向で、その設置角度Ｖを調整できるようになっている。スキャナ２２の設置角度調整は、操作部７に表示されるボタン操作で任意の角度に調整可能。もしくは、あらかじめユーザ毎に設置角度を登録しておき、認証装置２０によって認証することにより操作部７とスキャナ２２が、まず装置正面から左側へ移動し、その後、スキャナ２２が登録しておいた設置角度に自動的に調整することができる。つまり、操作部７のボタン操作をしなくても、あらかじめ設置角度を登録しておけば、認証が済むと、自動的に設置角度まで調整することができるのである。これにより、車椅子に座った状態でも無理なくスキャナ２２の使用が可能となる。
【００２９】
図５は給紙トレイ１２の引き出し及び収納構造を示す説明図である。図５(ａ)は装置側面(排紙トレイ側)から見た図であり、図５(ｂ)は装置上面から見た断面図である。図５(ａ)及び(ｂ)に矢印で示すように、右向きが給紙トレイ１２を引き出す方向、左向きが給紙トレイ１２を収納する方向である。操作部７を装置側面(排紙トレイ側)に向けた状態で、操作部７が有するＬＣＤ表示部に表示された給紙トレイ引き出しボタンを押下すると、ＣＰＵ１は給紙トレイ駆動モータ４を動作させ、給紙トレイ１２を引き出す方向ＤＯに引き出す。
【００３０】
収納位置からの引き出しが開始されると、給紙トレイの取っ手部１５の閉位置を検知する給紙トレイ開閉検知センサ５がＯＮからＯＦＦとなる。給紙トレイ引き出し終了位置検知センサ１０はＯＦＦのままである。給紙トレイ１２が完全に引き出された位置まで引き出されると、給紙トレイ引き出し終了位置検知センサ１０が給紙トレイ１２の後端部に取り付けられている給紙トレイ引き出し終了位置検知部１６との接触により、ＯＦＦからＯＮになる。この信号変化により、給紙トレイ１２が完全に引き出された位置に到達したことを認識する。この位置で、給紙トレイ開閉検知センサ５はＯＦＦのままである。なお、給紙トレイ開閉検知センサ５と給紙トレイ引き出し終了位置検知センサ１０は前記ＯＮ／ＯＦＦ動作が可能な位置に設けられている。
【００３１】
また、操作部７が有するＬＣＤ表示部に表示された給紙トレイ収納ボタンを押下すると、給紙トレイ１２は図示していない給紙トレイ駆動モータ４を動作させ、給紙トレイ１２を収納する方向ＤＩに収納する。完全に引き出された位置からの収納が開始されると、給紙トレイ引き出し終了位置検知センサ１０がＯＮからＯＦＦとなる。給紙トレイ開閉検知センサ５はＯＦＦのままである。給紙トレイ１２が完全に収納される位置まで到達すると、給紙トレイ開閉検知センサ５が給紙トレイ取手部１５との接触により、ＯＦＦからＯＮになる。この信号変化により、給紙トレイ１２が完全に収納された位置に到達したことを認識する。この位置で、給紙トレイ引き出し終了位置検知センサ１０はＯＦＦのままである。
【００３２】
図７はペーパーエンド発生時の給紙トレイ自動引き出しの制御手順を示すフローチャートである。この制御手順では、ステップＳ１において、操作部７が装置正面位置（第１の操作位置）から移動しているか否かを判定する。この判定は、操作部移動検知センサ６の信号状態で行う。操作部７が装置正面位置のままであれば、何もせず処理は終了する。操作部７が装置側面(排紙トレイ側−第２の操作位置)の向きに移動していれば（図２（ｂ）の状態）、ステップＳ２へ移行する。ステップＳ２では、給紙トレイ１２において転写紙の残り無し(ペーパーエンド)が発生しているか否かを判定する。ペーパーエンドが発生するまでは、次ステップに移行しない。ペーパーエンドが発生していれば、ステップＳ３へ移行する。ステップＳ３では、給紙トレイ１２部に搬送中の紙がないかどうかを判定する。搬送中の紙が給紙トレイ１２部に残っていれば、次ステップには移行しない。
【００３３】
搬送中の紙が給紙トレイ１２部からなくなると、次ステップＳ４へ移行する。ステップＳ４では、給紙トレイ１２の引き出し処理を行う。この引き出し処理は、給紙トレイ駆動モータ４を動作させることによって行う。給紙トレイ１２の引き出しを開始すると、ステップＳ５へ移行する。ステップＳ５では、給紙トレイ１２が引き出し終了位置に到達したかどうかを判定する。ここでは、給紙トレイ引き出し終了位置検知センサ１０がＯＦＦからＯＮへ変化すると、引き出し終了位置に到達したと認識する。引き出し終了位置に到達するまでは、次ステップに移行しない。引き出し終了位置に到達すると、本フローチャートのエンドとなり、ペーパーエンド発生時の給紙トレイ自動引き出しは終了となる。
【００３４】
図８及び図９は操作部７のボタン操作による給紙トレイ１２の引き出し及び収納の処理手順を示すフローチャート図である。図８はボタン操作による給紙トレイの引き出しを、図９はボタン操作による給紙トレイの収納の手順をそれぞれ示す。給紙トレイ１２の引き出し時には、図８に示すように、ステップＳ１１で操作部７が装置正面位置から移動しているか否かを判定する。この判定は、操作部移動検知センサ６の信号状態で行う。操作部７が装置正面位置のままであれば、何もせず処理は終了する。操作部７が装置側面(排紙トレイ側)の向きに移動していれば（図２（ｂ）の状態）、ステップＳ１２へ移行する。ステップＳ１２では、操作部７のＬＣＤ表示部に表示される給紙トレイ引き出しボタンが押下されたかどうかを判定する。ボタンが押下されていなければ、次ステップに移行しない。ボタンが押下されていれば、ステップＳ１３へ移行する。
【００３５】
ステップＳ１３では、給紙トレイ１２の引き出し処理を行う。引き出し処理は給紙トレイ駆動モータ４を動作させることにより行う。給紙トレイ１２の引き出しを開始すると、ステップＳ１４へ移行する。ステップＳ１４では、給紙トレイ１２が引き出し終了位置に到達したかどうかを判定する。ここでは、給紙トレイ引き出し終了位置検知センサ１０がＯＦＦからＯＮに変化することにより、引き出し終了位置に到達したことを認識する。引き出し終了位置に到達するまでは、次ステップに移行しない。
【００３６】
引き出し終了位置に到達すると、本フローチャートのエンドとなり、操作部のボタン操作による給紙トレイの引き出しは終了となる。
【００３７】
給紙トレイ１２の収納時には、ステップＳ２１で、まず、操作部７が装置正面位置から移動しているか否かを判定する。この判定は、操作部移動検知センサ６の信号状態で行う。操作部７が装置正面位置のままであれば、何もせず処理は終了する。操作部７が装置側面(排紙トレイ側)の向きに移動されていれば（図２（ｂ）の状態）、ステップＳ２２へ移行する。ステップＳ２２では、操作部７のＬＣＤ表示部に表示される給紙トレイ収納ボタンが押下されたかどうかを判定する。ボタンが押下されていなければ、次ステップに移行しない。ボタンが押下されていれば、ステップＳ２３へ移行する。ステップＳ２３では、給紙トレイ１２の収納処理を行う。ここでは、給紙トレイ駆動モータ４を動作させて、給紙トレイ１２の収納を行う。給紙トレイ１２の収納を開始すると、ステップＳ２４へ移行する。ステップＳ２４では、給紙トレイ１２が収納終了位置に到達したかどうかを判定する。給紙トレイ開閉検知センサ５がＯＦＦからＯＮに変化することで、収納終了位置に到達したことを認識する。収納終了位置に到達するまでは、次ステップに移行しない。収納終了位置に到達すると、本フローチャートのエンドとなり、操作部７のボタン操作による給紙トレイ１２の収納操作は終了となる。
【００３８】
以上のように本実施形態によれば、以下のような効果を奏する。  
１）足が不自由なユーザが利用する位置を排紙トレイ１３のある装置正面から見て左側とし、操作部７及びスキャナ２２を装置正面から移動可能にし、スキャナ２２の設置角度も調整可能としたので、排紙トレイ１３が設置してある装置左側面方向から操作することが可能となり、操作部７を操作する位置から移動することなく排紙された印刷物を取り出すことができる。
【００３９】
２）操作部７及びスキャナ２２の装置正面から排紙トレイ１３のある装置左側への移動とスキャナ２２の設置角度の調整、及び、操作部７及びスキャナ２２の装置左側から装置正面への移動を装置左側に設置された認証装置２０を用いて認証させることにより、装置左側の利用位置から移動することなく、装置の操作ができる。
【００４０】
３）操作部７のＬＣＤ表示部に表示されるボタン操作で給紙トレイ１２の引き出しと収納を行うことが可能なので、給紙トレイ１２の出し入れを、装置左側面(排紙トレイ側)のユーザ利用位置Ｐに位置したままの状態で容易に行うことができる。
【００４１】
４）連続印刷を実行中に給紙トレイ１２でペーパーエンドとなり、連続印刷が続行不可能となった場合に、自動的に給紙トレイ１２を引き出し、そのことを操作部７に表示することが可能なので、ペーパーエンドが発生した際、ユーザが行わなければいけない次のアクションを容易に知ることができ、給紙トレイ１２を引き出す手間を省くことができる。
【００４２】
５）操作部７のボタン操作による給紙トレイ１２の引き出し、及び、ペーパーエンド発生時の給紙トレイ１２の自動引き出しの際に、給紙トレイ１２を引き出す量は、物理的に引き出し可能な最大量となり、操作部７が装置正面から移動していない場合には、操作部７のボタン操作による給紙トレイ１２の引き出し、収納、ペーパーエンド発生時の自動引き出しは行われないので、装置正面で操作を行うユーザに対しては、従来と同じ慣れ親しんだ操作性を提供することができる。
【００４３】
なお、本発明は、本実施形態に限定されるものではなく、特許請求の範囲に記載された技術思想に含まれる技術的事項全てに及ぶことは言うまでもない。
【図面の簡単な説明】
【００４４】
【図１】本発明の実施形態に係る画像形成装置の概略構成を示す図である。
【図２】操作部の装置正面位置からの移動及び調整状態を示す説明図である。
【図３】スキャナの装置正面位置からの移動状態を示す説明図である。
【図４】スキャナの設置角度調整状態を示す説明図である。
【図５】給紙トレイの引き出し及び収納状態を示す説明図である。
【図６】本実施形態に係る画像形成装置の全体的な構成を示す機能ブロック図である。
【図７】ペーパーエンド発生時の給紙トレイ自動引き出しの制御手順を示すフローチャートである。
【図８】操作部のボタン操作による給紙トレイの引き出し時の制御手順を示すフローチャートである。
【図９】操作部のボタン操作による給紙トレイの収納時の制御手順を示すフローチャート図である。
【符号の説明】
【００４５】
１  ＣＰＵ
７  操作部
７Ａ、２２Ａ、２２Ｂ  支軸
１１  画像形成装置
１２  給紙トレイ
１３  排紙トレイ
１７  操作部駆動モータ
１９  スキャナ駆動モータ
２０  認証装置
２２  スキャナ
【図１】
2009222895.tif 000003
【図６】
2009222895.tif 000004
【図７】
2009222895.tif 000005
【図８】
2009222895.tif 000006
【図９】
2009222895.tif 000007
【図２】
2009222895.tif 000008
【図３】
2009222895.tif 000009
【図４】
2009222895.tif 000010
【図５】
2009222895.tif 000011